(57)【要約】      （修正有）【課題】雪の多い地域で、屋根に上がらずに軒下からロープを使用して安全に、容易に取り扱え、雪下ろし出来る手動式雪下ろし安全器具を提供する。【解決手段】既成屋根の上に、１枠１．８２０ｍｍを基準とし、一定の間隔巾４５５ｍｍで複数設置されて区画を形成する安全器具本体１と、安全器具本体に挿入される高さ８００ｍｍ板厚３ｍｍの雪分離立板２と、各区画に並べられる一駒４２０ｍｍ×２４５ｍｍの複数の雪送り板４を備え、各区画の複数の雪送り板４は結束ビニールロープで各々が連結されるとともに操作用ビニールロープが先端部に連結され、屋根の上に乗らず、地上で手動による操作用ビニーロープの操作を行い雪下ろしを可能にした。軒裏等地上の安全な場所に身を置き、ロープ操作により雪分離竪板２で区画上の雪を左右に分離し、雪送り板４上の積雪を一駒ずつロープ操作により落下させる。降雪中でも安全に雪下ろし操作が可能である。【選択図】図１
0003218438.tif 000002
【実用新案登録請求の範囲】
【請求項１】
既成屋根の上に、１枠１．８２０ｍｍを基準とし、一定の間隔巾４５５ｍｍで複数設置されて区画を形成する安全器具本体に、安全器具本体に挿入される雪分離立板高さ８００ｍｍ板厚３ｍｍと、各区画に並べられる複数の雪送り板一駒４２０ｍｍ×２４５ｍｍを備え、各区画の複数の雪送り板は結束ビニールロープで各々が連結されるとともに操作用ビニールロープが先端部に連結され、屋根の上に乗らず、地上で手動による操作用ビニールロープの操作を行い雪下ろしを可能にしたことを特徴とする手動式雪下ろし安全器具。
【請求項２】
区画の巾が４５５ｍｍであり、雪下ろしの人が軒先裏の地上の立ち、軒先方向をみて操作用ビニールロープを引張り、１区画先端部のローラー回転により雪を少しづつ下すのを可能にしたことを特徴とする請求項１記載の手動式雪下ろし安全器具。
【請求項３】
既設屋根は、屋根の構造に、そりのない、切妻屋根、片流れ屋根、寄せ棟屋根、越し屋根、入母屋屋根、差シ掛屋根のいずれかであることを特徴とする請求項１又は２記載の手動式屋根下ろし安全器具。
【請求項４】
本考案に使用される板材はアクリル等の樹脂製、又は合板製、軽い強度のある軽金属等が含まれることを特徴とする請求項２〜４記載の手動式雪下ろし安全器具。
【考案の詳細な説明】
【技術分野】
【０００１】  本考案は、屋根に上がらずに、手動で雪下ろしが可能な手動式雪下ろし安全器具に関するものである。
【背景技術】
【０００２】  従来の雪下ろし用具は屋根に上り、主にスコップ等で手作業による事が多く、時には小規模な雪崩に近い現象に巻込まれけがや人命に係るような結果を招く恐れを生じさせた。
【先行技術文献】
【特許文献】
【０００３】
【特許文献１】実用新案登録第３１８１８６７号
【特許文献２】実用新案登録第３２１１７０３号
【考案の概要】
【考案が解決しようと課題】
【０００４】  本考案が解決しようとする課題は従来の雪下し処理には多少の問題が残されるが、手動式雪下し安全器具は屋上に設置した図１の▲２▼分離竪板で区画上の雪をロープ操作で左右に分離する１の▲４▼、分離された送り板上の雪のみを一駒ずつロープ操作により軒下に落す手動式雪下ろし安全器具である。
【課題を解決するための手段】
【０００５】  本考案が解決しようとする課題を解決する為、技術手段を採る、即ち本考案は図１の▲２▼と▲４▼に示す如く地上で手動によるロープ操作を行い雪下ろしを可能にした雪下ろし安全器具である。
【０００６】  本考案の場合図１の▲２▼雪分離樫板を１の▲４▼の雪送り板の雪下ろし作業完了後は必ず棟上の元の位置迄両器具を戻す事を厳守する。怠ると降雪に見舞われた場合、本機能は果たせなくなる、▲２▼と▲４▼の処置が正しく実行されていれば降雪中でも雪下ろし安全器具は有効に作動する。
【０００７】  雪下ろしの順序は１階を先に行い２階は後とする、２階の雪を１階の屋根に先に落とすと、１階屋根上の積雪重量に加え２階から落下する雪の重量と衝撃が１階屋根構造に与える為、雪下ろし安全器具本体で受け止める手段として送り板の材質を軽金属、プラスチック製、化粧合板、耐水ベニヤ板１０〜１２ｍｍ厚の板材を使用し雪の重量と衝撃を和らげる。
【考案の効果】
【０００８】  屋根に上がって人力で屋根の雪下ろしをする必要がなく、雪下ろしのために死亡事故、怪我をする犠牲者がなくするために、地上で手動によるロープ操作を行い雪下ろしを可能にし、全体の屋根の上の雪を仕切板により分割する事で、はじから順番にロープで雪送り板を引っ張り少しずつ雪下ろしをするため安全な雪下ろし器具として役立つ効果がある。
【図面の簡単な説明】
【０００９】
【図１】本考案の概要図
【図２】構造材料、プラスチック、その他
【図３】構造材組合せ図
【図２】雪下ろし操作と棟及び軒先図
【考案を実施するための形態】
【００１０】  以下、本発明の実施の形態について説明する。
（イ）屋根の表面に雪下ろし安全器具本体（１）１枠４区画１区画４５５竪組材５組を横板に両面からＬ型金具で固定。
（ロ）雪分離竪板図（２）竪板溝巾５、竪板はプラスチック製高さ８００板厚ア３を径７のビニールロープで結び先端を軒下に垂らし地上で雪の状態を見ながら左右の分離操作を行い雪下ろしが容易になる手助け。
（ハ）雪送り板（４）を枠組の各ック角設置し結束ビニールロープ径１０で送り板を連結の先端を之大木下の安全な場所に身を置き雪下ろし操作する。
（ニ）雪送り板と分離板は操作完了後は棟上の元の位置迄必ず戻エう事を厳守しなければ本機能は果たせない、厳守することにより降雪時の作業が可能。
【実施例】
【００１１】  解決しようとする課題を解決する為、即ち本考案は図４の６地上で安全な場に立ち手動によるロープ操作を行い雪下ろしを可能にした雪下ろし安全器であり屋上に上がって人が雪下ろしをする必要が無く屋根上の雪を分離竪板で左右に分割する事で雪送り板の操作が容易にでき安全な雪下ろし器具として役立つ効果がある。
雪下ろし手順としては、１階を先に行い２階は後作業とする。２階を先に作業すると１階の積載と続けられますが積載重量に加え２階から落下する雪の荷重と衝撃が１階の屋根構造に負担を与える災害防止対策として分離竪板は雪の状態を見ながら操作ができ落雪の懸念がない、雪送り板を操作する人は軒裏の安全場所に身を置き軒先方向を見てロープの操作ができる両作業共人名尊重の措置を講じている。
【符号の説明】
【００１２】「図１」考案の概要図
「図１」
１の▲１▼  雪下ろし安全器具
１の▲２▲  雪分離竪板
１の▲３▼  同上竪板の通リ溝
１の▲４▼  雪送り板
１の▲５▼  雪分離板の操作
１の▲６▼  雪送りの操作
１の▲７▼  雪運搬車
「図２」
２の▲１▼  横板材３．８００×８０  ア１０
２の▲２▼  溝の竪組両面プラスチック製又は化粧合板５０  ア１０
２の▲３▼  雪送り板４２０×２４５  Ｐ１２
２の▲４▼  雪分離竪板プラスチック製８００×３００×１００  ア３
２の▲５▼  付属材と金具
「図３」
３の▲１▼  本体構造１枠  １，８２０×１，８２０
３の▲２▼  竪構造材送り板受滑り板５０×ア１０
同上台受３０×２５
３の▲３▼  横板８０×１０
３の▲４▲  竪構造材継部横板１６０×１０
３の▲５▼  筋かい８×１０
３の▲６▼  雪送り板プラスチック製又は表面化粧合板４２０×２４０
ア１２
３の▲７▼  送り板受け板プラスチック製又は表面化粧合板５０×１０
３の▲８▼  送り板操作用ビニールロープ径１０
竪板用ビニールロープ径７
３の▲９▼  竪組構造と横板固定Ｌ型金具
３の▲１０▼  雪分離竪板のロープ操作口
３の▲１１▼  雪送り板ロープ操作口
「図４」
４の▲１▼  屋根の雪を立板を引いて左右に分離し雪送り板で一駒づつ引いて落とす
４の▲２▼  棟側竪板へロープの運び方と送り板のロープ運び
４の▲３▼  棟の構造材結束図
４の▲４▼  軒先部の竪材と送り板の詳細図
４の▲５▼  雪分離作業
５の▲６▼  雪引き下ろし操作
５の▲７▼  雪運搬車
【図１】
0003218438.tif 000003
【図２】
0003218438.tif 000004
【図３】
0003218438.tif 000005
【図４】
0003218438.tif 000006
【手続補正書】
【提出日】平成30年2月26日(2018.2.26)
【手続補正１】
【補正対象書類名】実用新案登録請求の範囲
【補正対象項目名】全文
【補正方法】変更
【補正の内容】
【実用新案登録請求の範囲】
【請求項１】
本考案は、屋根の上に乗らず、地上で手動によるロープ操作を行い雪下ろしを可能にしたことを特徴とする手動式雪下ろし安全器具である。
【請求項２】
本考案は、安全器具本体１を既設屋根の上に設置し、その本体１に雪分離樫板２、区画（巾４５５ｍｍ）３、雪送り板４を設け、その先端を本体結束ビニールロープで結び、雪下ろしの人が、軒先裏の地上に立ち、ロープ操作で、軒先方向を見てロープを引っ張り、雪を雪送り板４の上に載っている分のみ順次に地上に少しづつ下すことを特徴とする請求項１記載の手動式雪下ろし安全器具である。
【請求項３】
本考案の雪下ろし安全器具が施工可能な屋根構造は、切妻屋根、片流れ屋根、寄せ棟屋根、越し屋根、入母屋屋根、差し掛屋根であることを特徴とする請求項１〜２記載の手動式雪下ろし安全器具である。
【請求項４】
本考案は、屋根の上の積載量の限度を７００ｍｍ以下にし、送り板材を結ぶ底辺へビニールロープと受け台の接触点の凍結部は金具で受台より２５ｍｍ上に挙げ、接触部の凍結を防止雪下ろし、実施時はナイロン糸で受台の金具を水平に戻し雪送りする板材の作業をすることを特徴とする請求項１〜３記載の手動式雪下ろし安全器具である。（参考外略図３の２の４の１，２，３参照図。）
【手続補正２】
【補正対象書類名】明細書
【補正対象項目名】０００９
【補正方法】変更
【補正の内容】
【０００９】
【図１】本考案の概要図
【図２】構造材料、プラスチック、その他
【図３】構造材組合せ図
【図４】雪下ろし操作と棟及び軒先図
【手続補正書】
【提出日】平成30年7月26日(2018.7.26)
【手続補正１】
【補正対象書類名】実用新案登録請求の範囲
【補正対象項目名】全文
【補正方法】変更
【補正の内容】
【実用新案登録請求の範囲】
【請求項１】
既成屋根の上に、１枠１，８２０ｍｍを基準とし、一定の間隔巾４５５ｍｍで複数設置されて区画を形成する安全器具本体に、安全器具本体に挿入される雪分離立板高さ８００ｍｍ板厚３ｍｍと、各区画に並べられる複数の雪送り板一駒４２０ｍｍ×２４５ｍｍを備え、各区画の複数の雪送り板は結束ビニールロープで各々が連結されるとともに操作用ビニールロープが先端部に連結され、屋根の上に乗らず、地上で手動による操作用ビニールロープの操作を行い雪下ろしを可能にしたことを特徴とする手動式雪下ろし安全器具。
【請求項２】
区画の巾が４５５ｍｍであり、雪下ろしの人が軒先裏の地上に立ち、軒先方向をみて操作用ビニールロープを引張り、１区画先端部のローラー回転により雪を少しづつ下すのを可能にしたことを特徴とする請求項１記載の手動式雪下ろし安全器具。
【請求項３】
既設屋根は、屋根の構造に、そりのない、切妻屋根、片流れ屋根、寄せ棟屋根、越し屋根、入母屋屋根、差シ掛屋根のいずれかであることを特徴とする請求項１又は２記載の手動式雪下ろし安全器具。
【請求項４】
前記雪分離立板又は前記雪送り板の少なくともいずれか一方の材料は、樹脂、合板、又は軽い強度のある軽金属が含まれることを特徴とする請求項２又は３記載の手動式雪下ろし安全器具。